(57)【要約】【課題】ナイトビジョン運用時、連続的な表示に近づけて視認性を向上させたナイトビジョン対応カラー液晶表示装置を提供する。【解決手段】ナイトビジョン運用時は、通常/ナイトビジョン切替器４によりバックライト２はナイトビジョン用バックライト２ｂが選択され、ナイトビジョン対応のグリーンの光が出ている。バックライト２からの緑の光は信号発生器３からの画像データを表示したカラー液晶パネル１を通過後、画素補正用レンズ５により画素を拡大させて表示する。バックライト２からの緑の光はカラー液晶パネル１の緑画素のみ通過し、赤画素と青画素は通過しない。緑の光は緑画素通過後、補正用レンズ５ａで拡大され、補正用レンズ５ｂで平行光に変換される。【選択図】図２
2008261918.tif 000002
【特許請求の範囲】
【請求項１】
通常バックライトとナイトビジョン用バックライトを備え、バックライトを通常/ナイトビジョンの運用に合わせ切替えて画像を表示するナイトビジョン対応カラー液晶表示装置において、
カラー液晶パネルの前面に、赤画素、緑画素、青画素をそれぞれ通過した、バックライトから光を拡大する第１の補正レンズと、前記第１のレンズを通過した光を平行光に変換する、赤画素、緑画素、青画素の各組に対して設けられた第２の補正レンズからなる画素補正用レンズを備えることを特徴とするナイトビジョン対応カラー液晶表示装置。
【発明の詳細な説明】
【技術分野】
【０００１】
本発明は、通常バックライトとナイトビジョン用バックライトを備え、バックライトを通常/ナイトビジョンの運用に合わせ切替えて画像を表示するナイトビジョン対応（ＮＶＩＳグリーン）のカラー液晶表示装置に関する。ここで、ナイトビジョン対応とはパイロットが夜間のフライト時に、機外の暗闇の状況を確認できるように微弱な光を増幅する暗視ゴーグルを使用して飛行するが、その時にコックピットに搭載されている装置から暗視ゴーグルが増幅する赤外線領域の波長を出さないようにしたものである
【背景技術】
【０００２】
ナイトビジョン対応カラー液晶表示装置は、図６に示すように、信号発生器３からの画像データをカラー液晶パネル１に表示させ、バックライト２からの光を通してカラー液晶パネル１の画像を表示させている。バックライト２は、通常バックライト２ａとナイトビジョン用バックライト２ｂの２種類が内蔵されており、外部の通常/ナイトビジョン切替１３により選択されて使用される。通常バックライト２ａは、カラー液晶表示として使用されるため白色のバックライトになっているが、ナイトビジョン用バックライト２ｂは、ナイトビジョン対応（ＮＶＩＳグリーン）のためグリーン表示として使用されるため緑色のバックライトとなっている。したがって、図７に示すようにカラー液晶パネル１は、昼間は通常表示、夜間はナイトビジョン表示のように表示される。そのため通常はカラー表示のため赤画素１１Ｒ、１２Ｒ、緑画素１１Ｇ、１２Ｇ、青画素１１Ｂ、１２Ｂの全ての画素を使用した表示となるが、ナイトビジョン表示の場合、赤画素１１Ｒ、１２Ｒ、青画素１１Ｂ、１２Ｂは表示されず、緑画素１１Ｇ、１２Ｇのみ使用した表示となる。このため、ナイトビジョン運用時、緑表示の画素間に隙間のある不連続な表示となり、表示品質が低下する。
【０００３】
特許文献１は、表示装置の各画素（１画素）を補正レンズで拡大して画素間の隙間を埋めて連続的な表示に近づけている。しかし、この装置では、単色表示の場合、分解能が１／３に劣化してしまうという欠点がある。
【特許文献１】特開平４−７０７１５号公報
【発明の開示】
【発明が解決しようとする課題】
【０００４】
本発明の目的は、ナイトビジョン運用時、連続的な表示に近づけて視認性を向上させたナイトビジョン対応カラー液晶表示装置を提供することにある。
【課題を解決するための手段】
【０００５】
本発明のナイトビジョン対応カラー液晶表示装置は、カラー液晶パネルの前面に、赤画素、緑画素、青画素をそれぞれ通過した、バックライトから光を拡大する第１の補正レンズと、前記第１のレンズを通過した光を平行光に変換する、赤画素、緑画素、青画素の各組に対して設けられた第２の補正レンズからなる画素補正用レンズを備えている。
【０００６】
カラー液晶パネルの各画素の画像を画素補正用レンズにより拡大して表示することにより、ナイトビジョン運用時、各画素間の隙間が補正され、連続的な表示に近づけることができ、かつ通常運用時と同じ分解能で画像を見ることができる。
【発明の効果】
【０００７】
以上説明したように本発明は、カラー液晶パネルの画像を画素補正用レンズにより拡大させて表示することにより、ナイトビジョン運用時、連続的な表示に近づけることができ視認性を向上させる効果がある。
【発明を実施するための最良の形態】
【０００８】
次に、本発明の実施の形態について図面を参照して説明する。
【０００９】
図１に示すように、本発明の一実施形態によるナイトビジョン対応カラー液晶表示装置は、図６の従来のナイトビジョン対応カラー液晶表示装置に、カラー液晶パネル１の画像を拡大表示する画素補正用レンズ５を追加したものである。
【００１０】
ナイトビジョン運用時は、図２に示すように、通常/ナイトビジョン切替器４によりバックライト２はナイトビジョン用バックライト２ｂが選択され、ナイトビジョン対応（ＮＶＩＳグリーン）の緑の光が出ている。バックライト２からの緑の光は信号発生器３からの画像データを表示したカラー液晶パネル１を通過後、画素補正用レンズ５により画素を拡大させて表示する。バックライト２からの緑の光はカラー液晶パネル１の緑画素のみ通過し、赤画素と青画素は通過しない。緑の光は緑画素通過後、画素補正用レンズ５の補正用レンズ５ａで拡大され、補正用レンズ５ｂで平行光に変換される。このようにして画素補正用レンズ５により、従来の表示(図３（１）)が、画素補正用レンズ５使用後の表示（図３（２））になり、各画素間の隙間を補正することができる。
【００１１】
また、通常運用時は、図４に示すように、通常/ナイトビジョン切替器４によりバックライト２は通常バックライト２ａが選択され、白色の光が出ている。バックライト２からの白色の光（赤、緑、青の３波長の光）は信号発生器３からの画像データを表示したカラー液晶パネル１を通過後、画素補正用レンズ５により画素を拡大させて表示する。白色の光は赤、緑、青各画素通過後、画素補正用レンズ５の補正用レンズ５ａで拡大され、補正用レンズ５ｂで平行光に変換される。このようにして画素補正用レンズ５により、従来の表示（図５（１））を画素補正用レンズ使用後の表示（（図５（２）））に変換することができ、赤、緑、青各画素間の隙間を補正することができる。
【図面の簡単な説明】
【００１２】
【図１】本発明の一実施形態によるナイトビジョン対応カラー液晶表示装置の構成を示す図である。
【図２】図１のナイトビジョン対応カラー液晶表示装置のナイトビジョン運用時の動作を示す図である。
【図３】ナイトビジョン運用時のカラー液晶パネルの表示を従来装置の場合と、図１の装置の場合とで対比して示す図である。
【図４】図１のナイトビジョン対応カラー液晶表示装置の通常運用時の動作を示す図である。
【図５】通常運用時のカラー液晶パネルの表示を従来装置の場合と、図１の装置の場合とで対比して示す図である。
【図６】従来のナイトビジョン対応カラー液晶表示装置の構成を示す図である。
【図７】図６のナイトビジョン対応カラー液晶表示装置における通常表示とナイトビジョン表示を示す図である。
【符号の説明】
【００１３】
１    カラー液晶パネル
２    バックライト
２ａ  通常バックライト
２ｂ  ナイトビジョン用バックライト
３    信号発生器
４    通常／ナイトビジョン切替器
５    画素補正用レンズ
５ａ  補正レンズ
５ｂ  補正レンズ
１１−１４  画素
【図１】
2008261918.tif 000003
【図２】
2008261918.tif 000004
【図３】
2008261918.tif 000005
【図４】
2008261918.tif 000006
【図５】
2008261918.tif 000007
【図６】
2008261918.tif 000008
【図７】
2008261918.tif 000009